(57)【要約】【課題】  配線のずれを確実に防止できる遊技機を提供すること。【解決手段】  遊技機（１）は、遊技に必要な制御を行う主制御回路（７１）及び副制御回路（７２）と、これら制御回路同士を接続する配線を保持する配線保持部（５０）と、これら制御回路が収容されるキャビネット（６０）と、を備える。配線保持部は、配線（７９）を結束する結束バンド（５１）と、この結束バンドが挿通される挿通部（５２）と、を備え、結束バンドは、挿通部に挿通された状態で配線を結束する。【選択図】        図４
2007029133.tif 000002
【特許請求の範囲】
【請求項１】
遊技に必要な制御を行う複数の制御手段と、これら制御手段同士を接続する配線を保持する配線保持手段と、これら制御手段が収容される筐体と、を備える遊技機であって、
前記配線保持手段は、前記配線を結束する結束バンドと、この結束バンドが挿通される挿通部と、を備え、
前記結束バンドは、前記挿通部に挿通された状態で前記配線を結束することを特徴とする遊技機。
【請求項２】
請求項１に記載の遊技機において、
前記挿通部は、前記筐体と一体に形成された環状の部材であることを特徴とする遊技機。
【発明の詳細な説明】
【技術分野】
【０００１】
本発明は、遊技機に関する。
【０００２】
例えば、停止ボタンを備えたスロットマシン、いわゆるパチスロ機は、正面の表示窓内に複数の図柄を表示する機械的回転リールを複数配列して構成した機械的変動表示装置、或いはリール上の図柄を画面に表示する電気的変動表示装置を有する。遊技者のスタート操作に応じて、制御手段が変動表示装置を駆動して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にコイン、メダル等の遊技媒体を払出すことで遊技者に利益を付与するものである。
【０００３】
現在主流の機種は、複数種類の入賞態様を有するものである。特に、所定の役の入賞が成立したときは、１回のコインの払出しに終わらず、所定期間、通常の状態よりも条件の良い遊技状態となる。このような役として、遊技者に相対的に大きい利益を与えるゲームが所定回数行える役（「ビッグボーナス」と称し、以下「ＢＢ」と略記する）と、遊技者に相対的に小さい利益を与える遊技を所定ゲーム数行える役（「レギュラーボーナス」と称し、以下「ＲＢ」と略記する）がある。
【０００４】
また、現在主流の機種においては、有効化された入賞ライン（以下「有効ライン」という）に沿って所定の図柄の組合せが並び、コイン、メダル等が払出される入賞が成立するには、内部的な抽選処理（以下、「内部抽選」という）により役に当選（以下、「内部当選」という）し、且つその内部当選した役（以下、「内部当選役」という）の入賞成立を示す図柄の組合せを有効ラインに停止できるタイミングで遊技者が停止操作を行うことが要求される。つまり、いくら内部当選したとしても、遊技者の停止操作のタイミングが悪いと入賞を成立させることができない。すなわち、停止操作のタイミングに熟練した技術が要求される（「目押し」といわれる技術介入性の比重が高い）遊技機が現在の主流である（例えば、特許文献１参照）。
【０００５】
以上のような遊技機は、遊技機の全体を形成しているキャビネットを備えている。このキャビネットには、開閉可能な前面ドアが取り付けられている。
前面ドアには、後述するリールの図柄を視認できるように透過状態となる液晶表示装置や、スタート操作や停止操作を行うためのスイッチ類のほか、種々のランプ類やＬＥＤ類、スピーカが設けられている。
キャビネットの内部には、リールやその駆動装置、スイッチ類の操作に基づいて遊技処理動作を制御する主制御基板、主制御回路からの信号に基づいて液晶表示装置、スピーカ、ＬＥＤ類及びランプ類を制御する副制御回路が設けられる。
これらの各種のデバイスや基板は、複数の配線により互いに接続され、これら配線は、キャビネット内部や前面扉の裏面に沿ってまとめられて引き回されている。
ここで、キャビネット内部や前面扉或いはこれらに取り付けられる各種デバイスには、配線保持部が複数形成されており、各配線保持部において、複数本の配線がまとめて保持されている。
【０００６】
図９は、本発明の従来例に係る配線保持部１００の斜視図である。
配線保持部１００は、キャビネット、前面扉及び各種デバイスなどに突出して形成される略Ｌ字形状の保持部本体１０１と、この保持部１０１の先端に形成された折り返し部１０２と、を備える。
上述したデバイスや基板を接続する配線１０３は、配線保持部１００の保持部本体１０１でまとめられて、折り返し部１０２で脱落しないように保持されている。
【特許文献１】特開２０００−３０８７０７号公報
【発明の開示】
【発明が解決しようとする課題】
【０００７】
しかしながら、上述した遊技機では、配線保持部の折り返し部で配線の脱落を防止しているが、配線が固定されていないため、配線の位置がずれて、配線にたるみが生じる場合がある。この場合、このたるんだ配線が、メンテナンス時にキャビネット内部の各種デバイスや基板の邪魔になったり、前面ドアを閉じるときに挟み込まれて破損したりするおそれがあった。
【０００８】
本発明の目的は、配線のずれを確実に防止できる遊技機を提供することである。
【課題を解決するための手段】
【０００９】
本発明は、以上のような問題点に鑑みてなされたものであり、遊技機において、遊技に必要な制御を行う複数の制御手段と、これら制御手段同士を接続する配線を保持する配線保持手段と、これら制御手段が収容される筐体と、を備える遊技機であって、前記配線保持手段は、前記配線を結束する結束バンドと、この結束バンドが挿通される挿通部と、を備え、前記結束バンドは、前記挿通部に挿通された状態で前記配線を結束することを特徴とする。
【００１０】
より具体的には、本発明では、以下のようなものを提供する。
【００１１】
（１）  遊技に必要な制御を行う複数の制御手段（例えば、後述の主制御回路７１及び副制御回路７２）と、これら制御手段同士を接続する配線を保持する配線保持手段（例えば、後述の配線保持部５０）と、これら制御手段が収容される筐体（例えば、後述のキャビネット６０）と、を備える遊技機であって、前記配線保持手段は、前記配線を結束する結束バンド（例えば、後述の結束バンド５１）と、この結束バンドが挿通される挿通部（例えば、後述の挿通部５２）と、を備え、前記結束バンドは、前記挿通部に挿通された状態で前記配線を結束することを特徴とする遊技機。
【００１２】
（１）記載の遊技機によれば、配線保持手段を、配線を結束する結束バンドと、筐体に設けられ結束バンドが挿通される挿通部と、を含んで構成した。よって、結束バンドを挿通部に挿通しておき、この状態で、結束バンドで配線を緩みなく締め付けることにより、配線を結束バンドで結束しつつ、この結束バンドが挿通部に固定されるから、配線のずれを確実に防止できる場合がある。
【００１３】
（２）  （１）に記載の遊技機において、前記挿通部は、前記筐体と一体に形成された環状の部材であることを特徴とする遊技機。
【００１４】
（２）記載の遊技機によれば、挿通部を筐体と一体に形成したので、挿通部と筐体とを別々に形成する場合に比べて、工程を簡略にでき、製造コストを低減できる場合がある。
【発明の効果】
【００１５】
本発明によれば、配線保持手段を結束バンドと挿通部とを含んで構成したので、結束バンドを挿通部に挿通しておき、この状態で、結束バンドで配線を緩みなく締め付けることにより、配線を結束バンドで結束しつつ、この結束バンドが挿通部に固定されるから、配線のずれを確実に防止できる場合がある。
【発明を実施するための最良の形態】
【００１６】
以下、実施例の遊技機について説明する。
【実施例１】
【００１７】
図１は、本発明の一実施例の遊技機１の外観を示す斜視図である。遊技機１は、いわゆるパチスロ機である。この遊技機１は、コイン、メダル、遊技球又はトークンなどの他、遊技者に付与された、もしくは付与される遊技価値の情報を記憶したカード等の遊技媒体を用いて遊技する遊技機であるが、以下ではメダルを用いるものとして説明する。
【００１８】
遊技機１の全体を形成しているキャビネット６０は、略直方体の箱状である。このキャビネット６０の正面には、前面ドア２が取り付けられている。前面ドア２の正面上部には、略垂直面としてのパネル表示部２ａ、液晶表示部２ｂ及び固定表示部２ｃが形成されている（後述）。また、前面ドア２上部の背後には、複数種類の図柄が各々の外周面に描かれた３個のリール３Ｌ，３Ｃ，３Ｒが、回転自在に横一列に設けられている。各リール３Ｌ，３Ｃ，３Ｒは、一定の速度で回転する（例えば、８０回転／分）。なお、図示しないが、この３個のリール３Ｌ，３Ｃ，３Ｒの側方には、後述する副制御回路７２が設けられる。
【００１９】
パネル表示部２ａ、液晶表示部２ｂ及び固定表示部２ｃの下方には、略水平面の台座部４が形成されている。台座部４の右側には、メダルを投入するためのメダル投入口１０が設けられている。投入されたメダルは、クレジットされるか、ゲームに賭けられる。また、台座部４の左側には、押下操作により、クレジットされているメダルを賭けるための１−ＢＥＴスイッチ１１、２−ＢＥＴスイッチ１２、及び最大ＢＥＴスイッチ１３が設けられている。
【００２０】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。
【００２１】
これらのＢＥＴスイッチ１１〜１３を操作することで、所定の表示ラインが有効化される（後述）。ＢＥＴスイッチ１１〜１３の操作及びメダル投入口１０にメダルを投入する操作（遊技を行うためにメダルを投入する操作）を、以下「ＢＥＴ操作」という。また、ＢＥＴスイッチ１１〜１３の上方には、操作部１７が設けられている。操作部１７は、液晶表示装置１３１に遊技履歴などの情報を表示するために操作される。
【００２２】
台座部４の正面の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、メダル払出口１５（後述）からメダルが払出され、払出されたメダルは下皿５（後述）に溜められる。
【００２３】
Ｃ／Ｐスイッチ１４の右側には、遊技者の操作により上記リールを回転させ、図柄表示領域２１Ｌ，２１Ｃ，２１Ｒ内での図柄の変動表示を開始するためのスタートレバー６が所定の角度範囲で回動自在に取り付けられている。なお、実施例では、一のゲーム（単位遊技）は、基本的にスタートレバー６が操作されることにより開始し、全てのリール３Ｌ，３Ｃ，３Ｒが停止したときに終了する。
【００２４】
台座部４の正面側中央で、スタートレバー６の右側には、３個のリール３Ｌ，３Ｃ，３Ｒの回転をそれぞれ停止させるための３個の停止ボタン７Ｌ，７Ｃ，７Ｒが設けられている。
【００２５】
また、図示しないが、台座部４の背後には、後述する主制御回路７１が設けられる。
【００２６】
キャビネット６０の正面には、メダルが払出されるメダル払出口１５と、この払出されたメダルを貯留する下皿５とが設けられている。下皿５の上方の左右には、遊技の演出に関する効果音などを出音するスピーカ９Ｌ，９Ｒが設けられている。
また、キャビネット６０のうち停止ボタン７Ｌ，７Ｃ，７Ｒと下皿５とに上下を挟まれた部分には、機種のモチーフに対応したデザインがあしらわれた腰部パネル２０が取り付けられている。
【００２７】
ここで、実施例では、全てのリールが回転しているときに行われるリールの停止操作（停止ボタンの操作）を第１停止操作、第１停止操作の次に行われる停止操作を第２停止操作、第２停止操作の次に行われる停止操作を第３停止操作という。また、各停止ボタン７Ｌ，７Ｃ，７Ｒの裏側には、後述の図７に示す停止スイッチ７ＬＳ，７ＣＳ，７ＲＳが配置されている。これらの停止スイッチは、対応する停止ボタンの操作（停止操作）を検知する。
【００２８】
図２を参照して、パネル表示部２ａ、液晶表示部２ｂ及び固定表示部２ｃについて説明する。
【００２９】
パネル表示部２ａは、ボーナス遊技情報表示部１６、ＢＥＴランプ１７ａ〜１７ｃ、払出表示部１８、及びクレジット表示部１９により構成される。ボーナス遊技情報表示部１６は、７セグメントＬＥＤから成り、ボーナス中の遊技情報を表示する。１−ＢＥＴランプ１７ａ、２−ＢＥＴランプ１７ｂ及び最大ＢＥＴランプ１７ｃは、一のゲームを行うために賭けられたメダルの数（以下「ＢＥＴ数」という）に応じて点灯する。
【００３０】
１−ＢＥＴランプ１７ａは、ＢＥＴ数が１枚のときに点灯する。２−ＢＥＴランプ１７ｂは、ＢＥＴ数が２枚のときに点灯する。最大ＢＥＴランプ１７ｃは、ＢＥＴ数が３枚のときに点灯する。払出表示部１８及びクレジット表示部１９は、夫々７セグメントＬＥＤから成り、入賞が成立した時（役が成立したとき）のメダルの払出枚数及びクレジットされているメダルの枚数を表示する。
【００３１】
液晶表示部２ｂは、図柄表示領域２１Ｌ，２１Ｃ，２１Ｒ、窓枠表示領域２２Ｌ，２２Ｃ，２２Ｒ及び演出表示領域２３により構成される。この液晶表示部２ｂの表示内容は、リール３Ｌ，３Ｃ，３Ｒの回転及び停止態様、及び液晶表示装置１３１（後述）の動作により変化するようになっている。
【００３２】
図柄表示領域２１Ｌ，２１Ｃ，２１Ｒは、各リール３Ｌ，３Ｃ，３Ｒに対応して設けられ、リール３Ｌ，３Ｃ，３Ｒ上に配置された図柄の表示や、種々の演出表示を行う。
【００３３】
図柄表示領域２１Ｌ，２１Ｃ，２１Ｒには、表示ラインとして、水平方向にトップライン８ｂ、センターライン８ｃ及びボトムライン８ｄ、並びに、斜め方向にクロスアップライン８ａ及びクロスダウンライン８ｅが設けられる。これらの表示ラインは、遊技者が、前述のＢＥＴスイッチ１１〜１３を押下操作すること、又はメダル投入口１０にメダルを投入することにより、それぞれ１本、３本、５本が有効化される（以下、有効化された表示ラインを「有効ライン」と記載する）。どの表示ラインが有効化されたかは、前述のＢＥＴランプ１７ａ，１７ｂ，１７ｃの点灯で表示される。表示ライン８ａ〜８ｅは、役の成否に関わる。
【００３４】
図柄表示領域２１Ｌ，２１Ｃ，２１Ｒは、少なくとも、対応するリール３Ｌ，３Ｃ，３Ｒが回転中のとき、及び、対応する停止ボタン７Ｌ，７Ｃ，７Ｒが押下操作可能なとき、遊技者がリール３Ｌ，３Ｃ，３Ｒ上の図柄を視認できるように、透過状態となる。
【００３５】
窓枠表示領域２２Ｌ，２２Ｃ，２２Ｒは、各図柄表示領域２１Ｌ，２１Ｃ，２１Ｒを囲むように設けられ、リール３Ｌ，３Ｃ，３Ｒの正面に配置された図柄表示領域２１Ｌ，２１Ｃ，２１Ｒの窓枠を表したものである。
【００３６】
演出表示領域２３は、液晶表示部２ｂの領域のうち、図柄表示領域２１Ｌ，２１Ｃ，２１Ｒ及び窓枠表示領域２２Ｌ，２２Ｃ，２２Ｒ以外の領域である。この演出表示領域２３は、ボーナスが成立可能であることを確定的に報知する画像（例えば、告知ランプ）の表示、ゲームの興趣を増大するための演出、遊技者がゲームを有利に進めるために必要な情報等の表示を行う。
【００３７】
固定表示部２ｃは、予め定めた図、絵などが描かれる領域である。この固定表示部２ｃに描かれた図、絵などと、演出表示領域２３に表示された画像を連接させることにより一つの静止画像又は動画像を表示できるようにしても良い。
【００３８】
図３は、前面ドア２の内部構造を示す正面図である。
キャビネット６０の内部には、各種のデバイスや基板が設けられている。具体的には、図３に示すように、前面ドア２内の上部には、ＬＥＤ類９１ａが設けられている。ＬＥＤ類９１ａの下側には、液晶表示装置１３１が設けられている。液晶表示装置１３１の左側には、液晶表示装置１３１の画面を照明するための冷陰極管インバータ７６が設けられ、右側には、パネル表示部２ａを表示するための基板７３が設けられている。液晶表示装置１３１の下側には、停止ボタン７Ｌ，７Ｃ，７Ｒなどを含むスイッチ装置２４が設けられている。スイッチ装置２４の下側には、投入されたメダルが下皿５に返却されるときに通る通路である遊技メダルキャンセルシュート７７と、主制御回路７１とスイッチ装置２４などを中継するドア中継基板７８と、が取り付けられている。
【００３９】
これらの各種のデバイスや基板は、複数の配線７９により互いに接続され、これら配線７９は、キャビネット６０の内部や前面ドア２の裏面に沿ってまとめられて引き回されている。
キャビネット６０、前面ドア２、或いはこれらに取り付けられる各種デバイスには、複数本の配線７９をまとめて保持するための配線保持部５０が複数形成されている。
【００４０】
図４は、配線保持部５０の斜視図である。図５は、配線保持部５０を構成する結束バンド５１の斜視図である。図６は、配線保持部５０の拡大斜視図である。
配線保持部５０は、配線を結束する結束バンド５１と、キャビネット６０に支持され結束バンド５１が挿通される挿通部５２と、を備える。
挿通部５２は、キャビネット６０、前面ドア２、或いはこれらに取り付けられる各種デバイスと一体に形成された環状の部材である。
【００４１】
結束バンド５１は、図５に示すように、帯状の締付け部５１１と、この締付け部５１１の基端側に設けられた係止部５１２とを備えている。締付け部５１１は、合成樹脂で形成されて可撓性を有しており、その先端部分にはＶ字状の溝５１１Ａが一定間隔で設けられている。係止部５１２は、四角筒状に形成されており、その内部には爪５１２Ａが設けられている。
この結束バンド５１は、図６に示すように、締付け部５１１の先端を係止部５１２に挿入することにより、締付け部５１１の溝５１１Ａを係止部５１２の爪５１２Ａに係止させて、配線７９を締め付けた状態で保持する。
【００４２】
したがって、配線保持部５０を結束バンド５１と挿通部５２とで構成したので、結束バンド５１を挿通部５２に挿通しておき、この状態で、結束バンド５１で配線７９を緩みなく締め付けることにより、配線７９を結束バンド５１で結束しつつ、しかも、この結束バンド５１が挿通部５２に固定されるから、配線７９のずれを確実に防止できる場合がある。
【００４３】
また、挿通部５２をキャビネット６０と一体に形成したので、挿通部５２とキャビネット６０とを別々に形成する場合に比べて、工程を簡略にでき、製造コストを低減できる場合がある。
【００４４】
図７は、遊技機１における遊技処理動作を制御する主制御回路７１と、主制御回路７１に電気的に接続する周辺装置（アクチュエータ）と、主制御回路７１から送信される制御指令に基づいて液晶表示装置１３１、スピーカ９Ｌ，９Ｒ、ＬＥＤ類９１ａ及びランプ類９１ｂを制御する副制御回路７２とを含む回路構成を示す。
【００４５】
主制御回路７１は、アクチュエータを制御することにより遊技に必要な制御を行うものであり、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、記憶手段であるＲＯＭ３２及びＲＡＭ３３を含む。
【００４６】
ＣＰＵ３１には、基準クロックパルスを発生するクロックパルス発生回路３４及び分周器３５と、サンプリングされる乱数を発生する乱数発生器３６及びサンプリング回路３７とが接続されている。尚、乱数サンプリングのための手段として、マイクロコンピュータ３０内で、即ちＣＰＵ３１の動作プログラム上で、乱数サンプリングを実行するように構成してもよい。その場合、乱数発生器３６及びサンプリング回路３７は省略可能であり、或いは、乱数サンプリング動作のバックアップ用として残しておくことも可能である。
【００４７】
マイクロコンピュータ３０のＲＯＭ３２には、スタートレバー６を操作（スタート操作）する毎に行われる乱数サンプリングの判定に用いられる確率抽選テーブルや停止用当選役決定テーブル、停止ボタンの操作に応じてリールの停止態様を決定するための停止テーブル群などが格納されている。また、副制御回路７２へ送信するための各種制御指令（コマンド）等が格納されている。副制御回路７２が主制御回路７１へコマンド、情報等を入力することはなく、主制御回路７１から副制御回路７２への一方向で通信が行われる。ＲＡＭ３３には、種々の情報が格納される。例えば、後述の、内部当選役、持越役、現在の遊技状態などの情報等が格納される。
【００４８】
図７の回路において、マイクロコンピュータ３０からの制御信号により動作が制御されて、遊技に必要な制御がなされる主要なアクチュエータとしては、ＢＥＴランプ（１−ＢＥＴランプ１７ａ、２−ＢＥＴランプ１７ｂ、最大ＢＥＴランプ１７ｃ）と、ボーナス遊技情報表示部１６、払出表示部１８、クレジット表示部１９などの表示部と、メダルを収納し、ホッパー駆動回路４１の命令により所定枚数のメダルを払出すホッパー（払出しのための駆動部を含む）４０と、リール３Ｌ，３Ｃ，３Ｒを回転駆動するステッピングモータ４９Ｌ，４９Ｃ，４９Ｒとがある。
【００４９】
更に、ステッピングモータ４９Ｌ，４９Ｃ，４９Ｒを駆動制御するモータ駆動回路３９、ホッパー４０を駆動制御するホッパー駆動回路４１、ＢＥＴランプ１７ａ，１７ｂ，１７ｃを駆動制御するランプ駆動回路４５、及びボーナス遊技情報表示部１６、払出表示部１８、クレジット表示部１９などの表示部を駆動制御する表示部駆動回路４８がＣＰＵ３１の出力部に接続されている。これらの駆動回路は、それぞれＣＰＵ３１から出力される駆動指令などの制御信号を受けて、各アクチュエータの動作を制御する。
【００５０】
また、マイクロコンピュータ３０が遊技に必要な制御指令を発生するために必要な入力信号を発生する主な入力信号発生手段としては、スタートスイッチ６Ｓ、停止スイッチ７ＬＳ，７ＣＳ，７ＲＳ、１−ＢＥＴスイッチ１１、２−ＢＥＴスイッチ１２、最大ＢＥＴスイッチ１３、Ｃ／Ｐスイッチ１４、メダルセンサ１０Ｓ、リール位置検出回路５０、払出完了信号回路４２がある。
【００５１】
スタートスイッチ６Ｓは、スタートレバー６の操作を検出し、遊技開始指令信号（ゲームの開始を指令する信号）を出力する。メダルセンサ１０Ｓは、メダル投入口１０に投入されたメダルを検出する。停止スイッチ７ＬＳ，７ＣＳ，７ＲＳは、対応する停止ボタン７Ｌ，７Ｃ，７Ｒの操作に応じて停止指令信号（図柄の変動の停止を指令する信号）を発生する。リール位置検出回路５０は、リール回転センサからのパルス信号を受けて各リール３Ｌ，３Ｃ，３Ｒの位置を検出するための信号をＣＰＵ３１へ供給する。払出完了信号回路４２は、メダル検出部４０Ｓの計数値（ホッパー４０から払出されたメダルの枚数）が指定された枚数データに達した時、メダル払出完了を検知するための信号を発生する。
【００５２】
図７の回路において、乱数発生器３６は、一定の数値範囲に属する乱数を発生し、サンプリング回路３７は、スタートレバー６が操作された後の適宜のタイミングで１個の乱数をサンプリングする。こうしてサンプリングされた乱数を使用することにより、例えばＲＯＭ３２内に格納されている確率抽選テーブルなどに基づいて内部当選役などが決定される。内部当選役（内部当選役データ）は、その内部当選役に対応する停止制御の態様、或いは表示役などを介して、対応する図柄組合せと遊技者に付与される利益とが間接的に対応付けられているといえる。
【００５３】
リール３Ｌ，３Ｃ，３Ｒの回転が開始された後、ステッピングモータ４９Ｌ，４９Ｃ，４９Ｒの各々に供給される駆動パルスの数が計数され、その計数値はＲＡＭ３３の所定エリアに書き込まれる。リール３Ｌ，３Ｃ，３Ｒからは一回転毎にリセットパルスが得られ、これらのパルスはリール位置検出回路５０を介してＣＰＵ３１に入力される。こうして得られたリセットパルスにより、ＲＡＭ３３で計数されている駆動パルスの計数値が“０”にクリアされる。これにより、ＲＡＭ３３内には、各リール３Ｌ，３Ｃ，３Ｒについて一回転の範囲内における回転位置に対応した計数値が格納される。
【００５４】
上記のようなリール３Ｌ，３Ｃ，３Ｒの回転位置とリール外周面上に描かれた図柄とを対応づけるために、図柄テーブル（図示せず）が、ＲＯＭ３２内に格納されている。この図柄テーブルでは、前述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードとが対応づけられている。
【００５５】
更に、ＲＯＭ３２内には、図柄組合せテーブル（図示せず）が格納されている。この図柄組合せテーブルでは、役の成立（入賞など）となる図柄の組合せと、入賞のメダル配当枚数と、その入賞（成立）を表わす入賞判定コード（成立判定コード）とが対応づけられている。上記の図柄組合せテーブルは、左のリール３Ｌ，中央のリール３Ｃ，右のリール３Ｒの停止制御時、及び全リール３Ｌ，３Ｃ，３Ｒの停止後の入賞確認（表示役の確認）を行う場合に参照される。表示役（表示役データ）は、基本的に、有効ラインに沿って並ぶ図柄組合せに対応する役（成立役）である。遊技者には、表示役に対応する利益が付与される。
【００５６】
上記乱数サンプリングに基づく抽選処理（確率抽選処理など）により内部当選役や停止用当選役を決定した場合には、ＣＰＵ３１は、遊技者が停止ボタン７Ｌ，７Ｃ，７Ｒを操作したタイミングで停止スイッチ７ＬＳ，７ＣＳ，７ＲＳから送られる操作信号、及び決定された停止テーブルに基づいて、リール３Ｌ，３Ｃ，３Ｒを停止制御する信号をモータ駆動回路３９に送る。
【００５７】
当選した役の入賞を示す停止態様（即ち入賞態様）となれば、ＣＰＵ３１は、払出指令信号をホッパー駆動回路４１に供給してホッパー４０から所定個数のメダルの払出を行う。その際、メダル検出部４０Ｓは、ホッパー４０から払出されるメダルの枚数を計数し、その計数値が指定された数に達した時に、メダル払出完了信号がＣＰＵ３１に入力される。これにより、ＣＰＵ３１は、ホッパー駆動回路４１を介してホッパー４０の駆動を停止し、メダル払出処理を終了する。
【００５８】
図８は、副制御回路７２の構成を示すブロック図である。副制御回路７２は、遊技に必要な制御を行うものであり、画像制御回路（ｇＳｕｂ）７２ａと、音・ランプ制御回路（ｍＳｕｂ）７２ｂとから構成されている。この画像制御回路（ｇＳｕｂ）７２ａ又は音・ランプ制御回路（ｍＳｕｂ）７２ｂは、主制御回路７１を構成する回路基板とは各々別の回路基板上に構成されている。
副制御回路７２からの制御信号により動作が制御されて、遊技に必要な制御がなされるアクチュエータとしては、液晶表示装置１３１、スピーカ９Ｌ，９Ｒ、ＬＥＤ類９１ａ及びランプ類９１ｂがある。
【００５９】
主制御回路７１と画像制御回路（ｇＳｕｂ）７２ａとの間の通信は、主制御回路７１から画像制御回路（ｇＳｕｂ）７２ａへの一方向で行われ、画像制御回路（ｇＳｕｂ）７２ａが主制御回路７１へコマンド、情報等を入力することはない。すなわち、画像制御回路（ｇＳｕｂ）７２ａは、主制御回路７１からの入力信号に基づいて、遊技に必要な制御を行う。
【００６０】
また、画像制御回路（ｇＳｕｂ）７２ａと音・ランプ制御回路（ｍＳｕｂ）７２ｂとの間の通信は、画像制御回路（ｇＳｕｂ）７２ａから音・ランプ制御回路（ｍＳｕｂ）７２ｂへの一方向で行われ、音・ランプ制御回路（ｍＳｕｂ）７２ｂが画像制御回路（ｇＳｕｂ）７２ａへコマンド、情報等を入力することはない。すなわち、音・ランプ制御回路（ｍＳｕｂ）７２ｂは、画像制御回路（ｇＳｕｂ）７２ａからの入力信号に基づいて、遊技に必要な制御を行う。
【００６１】
画像制御回路（ｇＳｕｂ）７２ａは、画像制御マイコン８１、シリアルポート８２、プログラムＲＯＭ８３、ワークＲＡＭ８４、カレンダＩＣ８５、画像制御ＩＣ８６、制御ＲＡＭ８７、画像ＲＯＭ（ＣＲＯＭ（キャラクタＲＯＭ））８８及びビデオＲＡＭ８９で構成される。
【００６２】
画像制御マイコン８１は、ＣＰＵ、割込コントローラ、入出力ポート（シリアルポートは図示）を備えている。画像制御マイコン８１に備えられたＣＰＵは、主制御回路７１から送信されたコマンドに基づき、プログラムＲＯＭ８３内に格納された制御プログラムに従って各種の処理を行う。尚、画像制御回路（ｇＳｕｂ）７２ａは、クロックパルス発生回路、分周器、乱数発生器及びサンプリング回路を備えていないが、画像制御マイコン８１の動作プログラム上で乱数サンプリングを実行するように構成されている。
【００６３】
シリアルポート８２は、主制御回路７１から送信されるコマンド等を受信する。プログラムＲＯＭ８３は、画像制御マイコン８１で実行する制御プログラム、各種テーブル等を格納する。
【００６４】
ワークＲＡＭ８４は、画像制御マイコン８１が前述した制御プログラムを実行する場合の、作業用の一時記憶手段として構成される。ワークＲＡＭ８４には、種々の情報が格納される。
【００６５】
カレンダＩＣ８５は、日付データを記憶する。画像制御マイコン８１には、操作部１７が接続されている。実施例では、この操作部１７を遊技場の従業員等が操作することにより日付の設定等が行われるようになっている。画像制御マイコン８１は、操作部１７から送信される入力信号に基づいて設定された日付情報をカレンダＩＣ８５に記憶する。カレンダＩＣ８５に記憶された日付情報はバックアップされることとなる。
【００６６】
また、前述のワークＲＡＭ８４とカレンダＩＣ８５は、バックアップ対象となっている。つまり、画像制御マイコン８１に供給される電源が遮断された場合であっても、電源が供給され続け、記憶された情報等の消去が防止される。
【００６７】
画像制御ＩＣ８６は、画像制御マイコン８１により決定された演出内容に応じた画像を生成し、液晶表示装置１３１に出力する。
【００６８】
制御ＲＡＭ８７は、画像制御ＩＣ８６の中に含まれている。画像制御マイコン８１は、この制御ＲＡＭ８７に対して情報等の書き込みや読み出しを行う。また、制御ＲＡＭ８７には、画像制御ＩＣ８６のレジスタと、スプライト属性テーブルと、カラーパレットテーブルと、が展開されている。画像制御マイコン８１は、画像制御ＩＣ８６のレジスタと、スプライト属性テーブルとを所定のタイミングごとに更新する。
【００６９】
画像制御ＩＣ８６には、液晶表示装置１３１と、画像ＲＯＭ８８と、ビデオＲＡＭ８９とが接続されている。尚、画像ＲＯＭ８８が画像制御マイコン８１に接続された構成であってもよい。この場合、３次元画像データなど大量の画像データを処理する場合に有効な構成となる場合がある。画像ＲＯＭ８８は、画像を生成するための画像データ、ドットデータ等を格納する。ビデオＲＡＭ８９は、画像制御ＩＣ８６で画像を生成する場合の一時記憶手段として構成される。また、画像制御ＩＣ８６は、ビデオＲＡＭ８９のデータを液晶表示装置１３１に転送終了する毎に画像制御マイコン８１に信号を送信する。
【００７０】
また、画像制御回路（ｇＳｕｂ）７２ａでは、画像制御マイコン８１が、音・ランプの演出の制御も行うこととなっている。画像制御マイコン８１は、決定された演出に基づいて、音・ランプの種類及び出力タイミングを決定する。そして、画像制御マイコン８１は、所定のタイミングごとに、音・ランプ制御回路（ｍＳｕｂ）７２ｂにシリアルポート８２を介してコマンドを送信する。音・ランプ制御回路（ｍＳｕｂ）７２ｂでは、主に、画像制御回路（ｇＳｕｂ）７２ａから送信されたコマンドに応じて、音・ランプの出力のみを行うこととなる（後述する音量調節制御を除く）。
【００７１】
音・ランプ制御回路（ｍＳｕｂ）７２ｂは、音・ランプ制御マイコン９１、シリアルポート９２、プログラムＲＯＭ９３、ワークＲＡＭ９４、音源ＩＣ９５、パワーアンプ９６、音源ＲＯＭ９７で構成される。
【００７２】
音・ランプ制御マイコン９１は、ＣＰＵ、割込コントローラ、入出力ポート（シリアルポートは図示）を備えている。音・ランプ制御マイコン９１に備えられたＣＰＵは、画像制御回路（ｇＳｕｂ）７２ａから送信されたコマンドに基づき、プログラムＲＯＭ９３内に格納された制御プログラムに従って音・ランプの出力処理を行う。また、音・ランプ制御マイコン９１には、ＬＥＤ類９１ａ及びランプ類９１ｂが接続されている。音・ランプ制御マイコン９１は、画像制御回路（ｇＳｕｂ）７２ａから所定のタイミングで送信されるコマンドに応じて、このＬＥＤ類９１ａ及びランプ類９１ｂに出力信号を送信する。これにより、ＬＥＤ類９１ａ及びランプ類９１ｂが演出に応じた所定の態様で発光することとなる。
【００７３】
シリアルポート９２は、画像制御回路（ｇＳｕｂ）７２ａから送信されるコマンド等を受信する。プログラムＲＯＭ９３は、音・ランプ制御マイコン９１で実行する制御プログラム等を格納する。ワークＲＡＭ９４は、音・ランプ制御マイコン９１が前述した制御プログラムを実行する場合の、作業用の一時記憶手段として構成される。
【００７４】
音源ＩＣ９５は、画像制御回路（ｇＳｕｂ）７２ａから送信されたコマンドに基づいて音源を生成し、パワーアンプ９６に出力する。パワーアンプ９６は増幅器であり、このパワーアンプ９６には、スピーカ９Ｌ，９Ｒが接続されている。
【００７５】
パワーアンプ９６は、音源ＩＣ９５から出力された音源を増幅し、増幅した音源をスピーカ９Ｌ，９Ｒなどから出力させる。
【００７６】
音源ＲＯＭ９７は、音源を生成するための音源データ（サウンドデータ、フレーズ等）等を格納する。また、音・ランプ制御マイコン９１には、音量調節部９１ｃが接続されている。音量調節部９１ｃは、遊技場の従業員等により操作可能となっており、スピーカ９Ｌ，９Ｒから出力される音量の調節が行われる。音・ランプ制御マイコン９１は、音量調節部９１ｃから送信される入力信号に基づいて、スピーカ９Ｌ，９Ｒから出力される音を入力された音量に調節する制御を行う。
【００７７】
以上、実施例について説明したが、本発明はこれに限られるものではない。
【００７８】
更に、本実施例のような遊技機１の他、パチンコ遊技機、パチロット等の他の遊技機にも本発明を適用できる。
【図面の簡単な説明】
【００７９】
【図１】遊技機の外観を示す斜視図。
【図２】液晶表示装置のパネル表示部、液晶表示部及び固定表示部を示す図。
【図３】前面ドアの内部構造を示す正面図。
【図４】配線保持部の斜視図。
【図５】配線保持部を構成する結束バンドの斜視図。
【図６】配線保持部の拡大斜視図。
【図７】電気回路の構成を示すブロック図。
【図８】副制御回路の構成を示すブロック図。
【図９】従来例の遊技機の配線保持部を示す斜視図。
【符号の説明】
【００８０】
１    遊技機
３Ｌ，３Ｃ，３Ｒ    リール
６    スタートレバー
７Ｌ，７Ｃ，７Ｒ    停止ボタン
５０    配線保持部
５１    結束バンド
５２    挿通部
６０    キャビネット
７１    主制御回路
【図１】
2007029133.tif 000003
【図２】
2007029133.tif 000004
【図３】
2007029133.tif 000005
【図４】
2007029133.tif 000006
【図５】
2007029133.tif 000007
【図６】
2007029133.tif 000008
【図７】
2007029133.tif 000009
【図８】
2007029133.tif 000010
【図９】
2007029133.tif 000011